(57)【要約】【課題】  画像印刷販売装置における誤操作を防止することである。【解決手段】  本発明に係るプリントベンダー１によれば、バーコード読取部１Ａから電子機器の表示装置に表示されたバーコードが読み取られて電子機器の機種番号が取得されると、機種別使用テーブル１７１が参照され、取得された機種番号の機種に応じたデータ転送方法が判別され、表示装置１２に、データ転送を行う際の、機種に応じた操作手順画面が表示される。操作手順画面に従って電子機器２からデータが転送され、表示装置１２から印刷対象の画像ファイル及びプリントスタイルが選択されると、印刷装置１６において画像が印刷され出力される。【選択図】図２
2005332044.tif 000002
【特許請求の範囲】
【請求項１】
撮影装置付きの電子機器から画像データを取得し、この取得された画像データに基づいて画像を印刷し販売する画像印刷販売装置であって、
前記電子機器の表示画面上に表示された当該電子機器の種類を識別するための識別情報を読み取る情報読取手段と、
前記読み取られた識別情報に基づいて前記電子機器に対応する操作手順を表示手段の表示画面上に表示する制御手段と、
を備えたことを特徴とする画像印刷販売装置。
【請求項２】
前記制御手段は、前記表示画面上に表示された操作手順に応じた操作がなされた場合に、前記電子機器で撮影された画像データを取得し、前記取得された画像データに基づく画像の印刷命令を出力することを備えたことを特徴とする請求項１に記載の画像印刷販売装置。
【請求項３】
前記電子機器の種類を識別するための識別情報は、前記電子機器で撮影された画像データのファイルの付加情報に含まれる機種名であることを特徴とする請求項１又は２に記載の画像印刷販売装置。
【請求項４】
前記情報読取手段は、前記電子機器の種類を識別するための識別情報とともに前記電子機器の表示画面上に表示された印刷対象となる画像データの保存先、ファイル名、及び印刷枚数を含む情報を読み取り、
前記制御手段は、前記表示画面上に表示された操作手順に応じた操作がなされた場合に、前記読み取られた保存先に保存されている前記読み取られたファイル名の画像データを取得し、前記取得された画像データに基づく画像の印刷命令を出力することを特徴とする請求項１に記載の画像印刷販売装置。
【請求項５】
前記情報読取手段は、前記電子機器の種類を識別するための識別情報とともに前記電子機器の表示画面上に表示された前記電子機器の電子メールアドレスを光学的に読み取り、
前記画像印刷販売装置は、前記電子機器に通信ネットワークを介して接続され、
金銭を授受するための金銭授受手段と、
前記印刷する画像のプリント料金を算出する料金算出手段と、
前記授受された金銭及び前記算出された料金に基づく支払い情報を電子メールにて前記電子機器に送信する支払い情報送信手段と、
を備えたことを特徴とする請求項１に記載の画像印刷販売装置。
【請求項６】
前記情報読取手段は、前記電子機器の種類を識別するための識別情報とともに前記電子機器の表示画面上に表示された前記電子機器のユーザの個人情報を読み取り、
前記画像印刷販売装置は、通信ネットワークを介して課金決済サーバに接続され、
前記読み取られた個人情報を暗号化通信により前記課金決済サーバに送信する個人情報送信手段と、
前記印刷する画像のプリント料金を算出する料金算出手段と、
前記課金決済サーバにより前記個人情報が認証された場合に、前記算出されたプリント料金の決済情報を前記課金決済サーバに送信することにより決済を行う決済手段と、
を備えたことを特徴とする請求項１に記載の画像印刷販売装置。
【請求項７】
撮影装置付きの電子機器と、前記電子機器から送信された画像データに基づいて画像を印刷し販売する画像印刷販売装置と、アプリケーションプログラムを生成するアプリケーション生成サーバが通信ネットワークを介して接続された画像印刷販売システムであって、
前記画像印刷販売装置は、
前記電子機器の表示画面上に表示された当該電子機器の種類を識別するための識別情報、印刷対象となる画像データの保存先及びファイル名を含む情報を読み取る情報読取手段と、
前記読み取られた情報を前記アプリケーション生成サーバに送信する送信手段と、
を備え、
前記アプリケーション生成サーバは、
前記画像印刷販売装置から送信された情報に基づいて、前記電子機器で起動可能な、前記電子機器において前記印刷対象となる画像データのファイルをその保存先から読み出して前記画像印刷販売装置に送信するためのアプリケーションプログラムを生成して前記電子機器に送信し、
前記電子機器は、前記アプリケーション生成サーバから送信されたアプリケーションプログラムを起動して、前記印刷対象となる画像データのファイルをその保存先から読み出して前記画像印刷販売装置に送信することを特徴とする画像印刷販売システム。
【請求項８】
撮影装置付きの電子機器から画像データを取得し、この取得された画像データに基づいて画像を印刷し販売する画像印刷販売装置を制御するためのコンピュータに、
前記電子機器の表示画面上に表示された当該電子機器の種類を識別するための識別情報を読み取る機能と、
前記読み取られた識別情報に基づいて前記電子機器に対応する操作手順を表示手段の表示画面上に表示する機能と、
を実現させるためのプログラム。
【発明の詳細な説明】
【技術分野】
【０００１】
本発明は、デジタルカメラ、カメラ付き携帯電話機等の撮影装置付きの電子機器から供給された画像データを印刷して販売する画像印刷販売装置、画像印刷販売システム及びプログラムに関する。
【背景技術】
【０００２】
近年、街角や建物内に配置され、記録媒体から画像データを読み込んで編集加工も可能とし、有料にて画像印刷するようにした画像印刷販売装置が知られている。このような画像印刷販売装置により、デジタルカメラ、携帯電話機等の電子機器により撮影された画像データを手軽に写真印刷できるようになっている。
【０００３】
画像印刷販売装置は、特許文献１に示すように、ユーザが記録媒体を所定の挿入口に挿入したり、所定の金額を投入したりする等の所定の操作を行うことにより印刷動作を行う。最近では、画像印刷販売装置は複数種類の記録媒体からの画像データを読み取ることが可能となっており、ユーザが記録媒体の種類に応じた挿入口に記録媒体を挿入することで記録媒体から画像印刷販売装置への画像データの転送が可能となっている。
【０００４】
また、デジタルカメラやカメラ付き携帯電話機等の電子機器をデータ通信ケーブルを介して、或いは通信回線や無線通信を利用して画像印刷販売装置に接続し、画像データを転送することも可能となっている。
【特許文献１】特開平２−１９７９９６号公報
【発明の開示】
【発明が解決しようとする課題】
【０００５】
電子機器を画像印刷販売装置に接続するための操作手順や利用可能な記録媒体は、電子機器の機種によって異なるため、ユーザは電子機器に応じた操作を行う必要がある。しかしながら、従来、ユーザが機種に応じた操作手順がわからずに誤操作を行うという問題があった。
【０００６】
本発明の課題は、画像印刷販売装置における誤操作を防止することである。
【課題を解決するための手段】
【０００７】
上記課題を解決するため、請求項１に記載の発明は、
撮影装置付きの電子機器から画像データを取得し、この取得された画像データに基づいて画像を印刷し販売する画像印刷販売装置であって、
前記電子機器の表示画面上に表示された当該電子機器の種類を識別するための識別情報を読み取る情報読取手段と、
前記読み取られた識別情報に基づいて前記電子機器に対応する操作手順を表示手段の表示画面上に表示する制御手段と、
を備えたことを特徴としている。
【０００８】
請求項７に記載の発明は、
撮影装置付きの電子機器と、前記電子機器から送信された画像データに基づいて画像を印刷し販売する画像印刷販売装置と、アプリケーションプログラムを生成するアプリケーション生成サーバが通信ネットワークを介して接続された画像印刷販売システムであって、
前記画像印刷販売装置は、
撮影装置付きの電子機器の表示画面上に表示された当該電子機器の種類を識別するための識別情報、印刷対象となる画像データの保存先及びファイル名を含む情報を読み取る情報読取手段と、
前記読み取られた情報を前記アプリケーション生成サーバに送信する送信手段と、
を備え、
前記アプリケーション生成サーバは、
前記画像印刷販売装置から送信された情報に基づいて、前記電子機器で起動可能な、前記電子機器において前記印刷対象となる画像データのファイルをその保存先から読み出して前記画像印刷販売装置に送信するためのアプリケーションプログラムを生成して前記電子機器に送信し、
前記電子機器は、前記アプリケーション生成サーバから送信されたアプリケーションプログラムを起動して、前記印刷対象となる画像データのファイルをその保存先から読み出して前記画像印刷販売装置に送信することを特徴としている。
【０００９】
請求項８に記載の発明は、
撮影装置付きの電子機器から画像データを取得し、この取得された画像データに基づいて画像を印刷し販売する画像印刷販売装置を制御するためのコンピュータに、
撮影装置付きの電子機器の表示画面上に表示された当該電子機器の種類を識別するための識別情報を読み取る機能と、
前記読み取られた識別情報に基づいて前記電子機器に対応する操作手順を表示手段の表示画面上に表示する機能と、
を実現させるためのプログラムであることを特徴としている。
【発明の効果】
【００１０】
請求項１、８に記載の発明の画像印刷販売装置によれば、撮影装置付きの電子機器の表示画面上に表示された当該電子機器の種類を識別するための識別情報を読み取り、読み取られた識別情報に基づいて電子機器に対応する操作手順を表示手段の表示画面上に表示する。従って、電子機器に対応する操作手順を表示手段に表示するので、画像印刷販売装置を利用する際の誤操作を防止することが可能となる。
【００１１】
請求項２に記載の発明によれば、表示画面上に表示された操作手順に応じた操作がなされた場合に、電子機器で撮影された画像データを取得し、取得された画像データに基づく画像の印刷命令を出力するので、ユーザは、表示画面上に表示された、電子機器に応じた操作手順に従って操作することで、電子機器で撮影された画像データを容易に印刷することが可能となる。
【００１２】
請求項３に記載の発明によれば、電子機器の種類を識別するための識別情報は、電子機器で撮影された画像データのファイルの付加情報から容易に取得することが可能となる。
【００１３】
請求項４に記載の発明によれば、印刷対象となる画像データのファイル名、印刷枚数指定の操作を画像印刷販売装置側で行う必要がなくなり、操作手順を簡略化することが可能となる。
【００１４】
請求項５に記載の発明によれば、授受された金銭及びプリント料金に基づく支払い情報を電子機器に電子メールにて送信するので、レシートを発行する必要がなくなり、資源を節約することが可能となる。
【００１５】
請求項６に記載の発明によれば、画像印刷販売装置に金銭授受手段を備える必要がなくなり、画像印刷販売装置の装置コストを削減することが可能となるとともに、ユーザがコインの投入等を行う操作の手間を省くことが可能となる。
【００１６】
請求項７に記載の発明によれば、電子機器は、アプリケーション生成サーバで作成されたアプリケーションプログラムを電子機器で起動して、自動的に印刷対象となる画像データのファイルをその保存先から読み出して画像印刷販売装置に送信するので、ユーザは電子機器や画像印刷販売装置をほとんど操作することなくプリントを行うことが可能となる。
【発明を実施するための最良の形態】
【００１７】
以下、図を参照して本発明の実施形態を詳細に説明する。
まず、構成を説明する。
図１に、本発明の実施形態の全体構成及び本発明に係るプリントベンダー１の外観を示す。図１に示すように、プリントベンダー１には、表示画面１２１、ケーブル挿入口１４１、紙幣投入口１５１、返却レバー１５２、コイン投入口１５３、おつり返却口１５４、写真受取口１６１、レシート出力口１６２、記録媒体挿入口１８１、バーコード読取部１Ａ等が設けられている。
【００１８】
プリントベンダー１は、例えば、写真店、コンビニエンスストア、街角等ユーザが利用しやすい場所に設置され、デジタルカメラ、カメラ付き携帯電話機、ＰＤＡ（Personal Digital Assistants）等の、撮影装置を備えた電子機器２から通信ケーブル、記録媒体、通信回線又はバーコード読取部１Ａを介して、或いは、Bluetooth（登録商標）、IrＤＡ等の無線通信を介して転送された画像データのうち指定された画像を指定されたスタイルで指定された枚数分写真プリントして出力する画像印刷販売装置である。
【００１９】
図２にプリントベンダー１の機能的構成を示す。図２に示すように、プリントベンダー１は、ＣＰＵ１０、入力装置１１、表示装置１２、ＲＡＭ１３、伝送制御部１４、金銭授受装置１５、印刷装置１６、記録装置１７、記録媒体接続部１８、バーコード読取部１Ａ等により構成され、各装置及び各部はバス１９により接続されている。
【００２０】
ＣＰＵ（Central Processing Unit）１０は、記録装置１７に記憶されているシステムプログラムを読み出し、ＲＡＭ１３内に形成されたワークエリアに展開し、該システムプログラムに従って各部を制御する。また、ＣＰＵ１０は、記録装置１７に記憶されているプリント販売処理プログラムを始めとする各種処理プログラムを読み出してワークエリアに展開し、後述するプリント販売処理（図５参照）等を始めとする各種処理を実行する。
【００２１】
入力装置１１は、例えば、表示装置１２と一体的に構成されるタッチパネルにより構成され、表示装置１２の表示画面１２１におけるユーザからのタッチ入力を受け付け、その入力信号をＣＰＵ１０に出力する。また、入力装置１１は、電源キーを始めとする各種キーを備え、その操作信号をＣＰＵ１０に出力する。
【００２２】
表示装置１２は、ＬＣＤ（Liquid Crystal Display）等からなる表示画面１２１により構成され、ＣＰＵ１０から入力される表示信号の指示に従って、表示画面１２１上に、後述する操作手順画面（例えば、図１０参照）、画像選択画面（例えば、図１２参照）、プリントスタイル選択画面（例えば、図１３参照）を始めとする各種画面を表示する。
【００２３】
ＲＡＭ（Random Access Memory）１３は、ＣＰＵ１０により実行されるシステムプログラム、各種処理プログラム、各処理において処理中のデータ、処理結果などを一時的に記憶するワークエリアを形成する。
【００２４】
伝送制御部１４は、第１の伝送制御部と、第２の伝送制御部と、第３の伝送制御部（図示せず）とを有して構成されている。第１の伝送制御部は、ネットワークカード、モデム（ＭＯＤＥＭ：MOdulater/DEModulater）またはターミナルアダプタ（ＴＡ：Terminal Adapter）、ルータ等によって構成され、電話回線網、ＩＳＤＮ（Integrated Services Digital Network）回線網、広帯域通信回線網、専用線、移動体通信網、通信衛星回線、ＣＡＴＶ（Community Antenna Television）回線、光通信回線、無線通信回線と、それらを接続するインターネット等の通信ネットワークを介して管理サーバ（図示せず）を始めとする外部機器との通信を行うための制御を行う。第２の伝送制御部は、外部機器とBluetooth規格に準じた無線通信を行うBluetooth部、外部機器とIEEE802.11規格に準じた無線ＬＡＮによる通信を行う無線ＬＡＮ部、外部機器とＩｒＤＡ規格に準じた赤外線通信を行うＩｒＤＡ部等を備える。第３の伝送制御部は、ケーブル挿入口１４１に装着されたＵＳＢ（Universal Serial Bus）等のデータ通信ケーブルを介して電子機器２とデータの送受信を行うためのインターフェースである。
【００２５】
金銭授受装置１５は、コインメック、ビルバリ等を備えて構成され、紙幣投入口１５１、コイン投入口１５３から投入された紙幣やコインを授受してその投入金額を判定し、ＣＰＵ１０に出力する。また、ＣＰＵ１０から返金額の情報が入力されると、その返金額に相当するつり銭をおつり返却口１５４から返却する。
【００２６】
印刷装置１６は、単数あるいは複数のプリンタを備え、ＣＰＵ１０から出力される印刷命令に基づいて、伝送制御部１４又はバーコード読取部１Ａを介して、或いは記録媒体接続部１８を介して電子機器２から取得された画像データ及び指定されたプリントスタイルに応じて変調した光ビームで感光材料（印画紙、シール）を走査露光して潜像を記録し、露光済みの感光材料に湿式の現像処理や乾燥処理を施して、仕上がりプリントとして写真受取口１６１に出力する。また、印刷装置１６は、ＣＰＵ１０から出力される印刷命令に基づきレシートの印刷を行いレシート出力口１６２に出力する。
【００２７】
記録装置１７は、プリントベンダー１に対応するシステムプログラム、プリント販売処理プログラム、メールソフト、ＭＩＭＥデコードプログラム等を始めとする各種処理プログラムやアプリケーションプログラム、各種データ等が予め記憶されており、この記録装置１７は、磁気的、光学的記録媒体、若しくは半導体メモリなどＣＰＵ１０で読取り可能な記録媒体を含んだ構成である。この記録媒体はＣＤ-ＲＯＭ（Compact Disc Read Only Memory）、メモリカード等の可搬型の媒体やハードディスク等の固定的な媒体を含む。また、記録媒体に格納するプログラム、データ等の一部若しくは全部をサーバやクライアントからＷＡＮ（Wide Area Network）、ＬＡＮ（Local Area Network）などの通信ネットワークを介して受信する構成にしてもよく、更に、記録媒体はネットワーク上に構築されたサーバやクライアントの記録媒体であってもよい。
【００２８】
本実施の形態において、記録装置１７は、図２に示すように、機種別仕様テーブル１７１を格納している。
機種別仕様テーブル１７１は、電子機器２の機種別の仕様を格納するテーブルであり、図３に示すように、電子機器２の種類（機種）を識別するための識別情報（ここでは、機種番号とする）を示すデータと、その機種に対応するキャリア（通信事業者）を示すデータと、その機種のメーカを示すデータと、その機種の仕様を示すデータ（例えば、メモリカード、ＩｒＤＡ、Bluetooth、無線ＬＡＮ通信、バーコード等が使用可能か及び使用可能な規格を示すデータ、撮影サイズを示すデータ、表示画素数を示すデータ、Ｊａｖａ（登録商標）ＶＭ(Java Virtual Machine)が実装されているか否かを示すデータ等）とを対応付けて記憶する。
【００２９】
また、記録装置１７は、電子機器２の機種に応じたデータ転送を行うための操作手順画面を始めとする各種画面データを記憶している。
【００３０】
記録媒体接続部１８は、例えば、miniＳＤ（Secure Digital memory card）カードの挿入口、ＳＤ（Secure Digital memory card）カードの挿入口、メモリースティック（登録商標）ＤＵＯカードの挿入口、メモリースティック（登録商標）の挿入口、スマートメディア（登録商標）カードの挿入口等からなる記録媒体挿入口１８１を備え、記録媒体挿入口１８１の各挿入口に挿入された、各挿入口に対応する記録媒体とデータの入出力を行うためのインターフェースである。なお、記録媒体としては、メモリカードを例にとり説明するが、これに限定されず、例えば、ＰＣカード、ＭＯ（magneto-optic）等を装着可能な構成としてもよい。
【００３１】
バーコード読取部１Ａは、ＣＣＤ（Charged Coupled Device）カメラ等により構成され、電子機器２の表示装置２４（図４に図示）の表示画面上に表示されたバーコードを光学的に読み取ってＣＰＵ１０に出力する情報読取手段である。なお、本実施の形態においては、バーコード読取部１Ａは、ＱＲコード等の二次元バーコードを読み取るものとするが、ＪＡＮコード、ＵＰＣコード、ＣＤＤＥ３９、ＣＯＤＥ９３等の一次元バーコードやカラーバーコードであってもよく、その種類は問わない。
【００３２】
次に、電子機器２について説明する。
電子機器２は、デジタルカメラ、カメラ付き携帯電話機、ＰＤＡ等の撮影装置付きの電子機器である。なお、本実施形態では、電子機器２として撮影装置付き携帯電話機を使用した例を示すが、これに限定はされない。
【００３３】
電子機器２は、図４に示すように、ＣＰＵ２０、入力装置２１、ＲＡＭ２２、伝送制御部２３、表示装置２４、通話装置２５、記録装置２６、撮影装置２７、外部記録媒体２８等により構成され、各装置及び各部はバス２９により接続されている。
【００３４】
ＣＰＵ２０は、記録装置２６に記憶されているシステムプログラムを読み出し、ＲＡＭ２２内に形成されたワークエリアに展開し、該システムプログラムに従って各部を制御する。また、ＣＰＵ２０は、記録装置２６に記憶されているバーコード生成表示プログラムを始めとする各種処理プログラム、アプリケーションプログラムを読み出してワークエリアに展開して各種処理を実行し、それらの処理結果をＲＡＭ２２内のワークエリアに記憶すると共に表示装置２４に表示させる。そして、ワークエリアに格納した処理結果を記録装置２６内の指定の保存先又は外部記録媒体２８に保存させる。
【００３５】
即ち、ＣＰＵ２０は、入力装置２１からバーコード生成表示処理の実行が指示されると、記録装置２６又は外部記録媒体２８に記憶された画像データのファイル（例えば、Exif形式ファイル）の付帯情報に含まれる、電子機器２の機種を識別するための機種番号（機種名）等の識別情報を読み出して、機種番号を示すバーコードを生成する。バーコードとしては、ここではＱＲコード等の二次元バーコードとするが、ＪＡＮコード、ＵＰＣコード、ＣＤＤＥ３９、ＣＯＤＥ９３等の一次元バーコードやカラーバーコードであってもよく、その種類は問わない。
【００３６】
入力装置２１は、カーソルキー、文字／数字キー、各種機能キー等を有し、そのキー操作による押下信号をＣＰＵ２０に出力する。
【００３７】
ＲＡＭ２２は、バッファとして各種プログラムや処理中のデータ、処理結果などを一時的に記憶するワークエリアを形成する。
【００３８】
伝送制御部２３は、アンテナ２３１を含む無線通信部で構成され、ＣＰＵ２０から入力される指示に従って、図示しない無線基地局及び通信ネットワークを介して外部機器と各種情報を送受信する。また、伝送制御部２３は、電子機器２の機種に応じて、外部機器とBluetooth規格に準じた無線通信を行うBluetooth部、外部機器とIEEE802.11規格に準じた無線ＬＡＮによる通信を行う無線ＬＡＮ部、外部機器とＩｒＤＡ規格に準じた赤外線通信を行うＩｒＤＡ部、ＵＳＢ等のデータ通信ケーブルを接続して外部機器とデータの送受信を行うためのインターフェース等の何れか又はその組み合わせを備えている。
【００３９】
表示装置２４は、ＬＣＤパネル等により構成され、ＣＰＵ２０から入力される表示データに基づいて画面表示を行う。
【００４０】
通話装置２５は、マイク、スピーカ、増幅器、Ａ／Ｄ変換部、及びＤ／Ａ変換部等を有し、マイクから入力されるユーザの音声信号をデジタル音声情報に変換し、その音声情報をＣＰＵ２０に出力するとともに、受話中にＣＰＵ２０から入力される音声情報をアナログの音声信号に変換して増幅し、スピーカから出力する。
【００４１】
記録装置２６は、フラッシュメモリなどの不揮発メモリ等により構成され、電子機器２に対応するシステムプログラム、及び該システムプログラム上で実行可能なバーコード生成表示処理プログラム、メールソフト、ＭＩＭＥエンコードプログラム等の各種処理プログラム、アプリケーションプログラム及びこれらのプログラムで必要なデータ等を記憶する。
【００４２】
ここで、記録装置２６は、電子機器２の機種に応じたアプリケーションプログラムを記憶している。例えば、電子機器２がバーコードにより画像データのファイルを転送可能な機種である場合、その記録装置２６には、入力装置２１により指定されたファイルをテキストデータに変換し、テキストデータから二次元バーコードを生成して表示装置２４に表示するバーコード画像転送プログラムが記憶されている。これらの各種プログラムは、読取可能なプログラムコードの形態で格納され、ＣＰＵ２０は、当該プログラムコードに従った動作を逐次実行する。
【００４３】
撮影装置２７は、ガラス又はプラスチックからなる光学レンズ、及びＣＣＤやＣＭＯＳ（Complementary Metal Oxide Semiconductor）等の撮像素子、Ａ／Ｄ変換器等により構成され、光学レンズを介して入力される画像を撮像素子で電気信号に変換し、更にＡ／Ｄ変換して画像データを生成する。
【００４４】
外部記録媒体２８は、電子機器２に着脱可能なメモリカード等の不揮発性の半導体メモリにより構成され、ＣＰＵ２０からの指示に基づいて画像ファイル等を記録する。
【００４５】
次に、本実施の形態の動作を説明する。
図５に、プリントベンダー１のＣＰＵ１０により実行されるプリント販売処理を示す。当該処理は、入力装置１１の電源キーがＯＮに操作された際に実行される。当該処理及びその処理において実行される各処理は、ＣＰＵ１０と記録装置１７に記憶されたプログラムとの協働によるソフトウエア処理により実現される。
【００４６】
まず、初期化処理が実行され（ステップＳ１）、システムプログラムの起動やプリントベンダー１各部の初期設定が行われる。次いで、スタートメニュー処理が実行される（ステップＳ２）。
【００４７】
図６に、ＣＰＵ１０により実行されるスタートメニュー処理を示す。
まず、通信ネットワーク接続可能であるか否かが判断され（ステップＳ１０１）、接続不可能な場合には、処理はステップＳ１０４に移行する。通信ネットワークに接続可能な場合には（ステップＳ１０１；ＹＥＳ）、通信ネットワークを介して図示しない管理サーバから最新の機種別仕様テーブルが取得され（ステップＳ１０２）、記録装置１７に記憶されている機種別仕様テーブル１７１の内容が更新される（ステップＳ１０３）。
【００４８】
ステップＳ１０４において、表示装置１２の表示画面上１２１にヘルプ画面が表示され（ステップＳ１０４）、印刷ガイドが動画表示され（ステップＳ１０５）、処理は図５のステップＳ３に移行する。ここで、印刷ガイドは、プリントベンダー１による印刷方法を簡単に説明するガイド画面であり、例えば、電子機器２において機種番号をバーコード表示してバーコード読取部１Ａにセットすることを促す表示が表示される。また、画像のファイル形式により印刷方法が異なる場合には、ファイル形式別の印刷方法等がガイド表示される。
【００４９】
図５のステップＳ３において、バーコード読取部１Ａによるバーコードの認識が待機され（ステップＳ３）、バーコードが光学的に認識されて読み取られると（ステップＳ３；ＹＥＳ）、機種別操作手順表示処理が実行される（ステップＳ４）。なお、バーコード読取部１Ａによる光学的なバーコードの認識以外にも、ＲＦＩＤ（Radio Frequency Identification）などのＩＣタグを電子機器２に設けておき、プリントベンダー１ではＩＣタグから機種番号を無線受信して認識するようにしてもよい。
【００５０】
図７〜図９に、ＣＰＵ１０により実行される機種別操作手順表示処理を示す。
まず、バーコード読取部１Ａにおいて読み取られたバーコードがデコード処理され（ステップＳ２０１）、バーコードが示すデータが取得される。バーコードを読み取って得られたデータに機種番号が含まれている場合には（ステップＳ２０２；ＹＥＳ）、取得された機種番号が設定され（ステップＳ２０３）、機種別仕様テーブル１７１に基づいて電子機器２の機種に応じたデータの転送方法が判別される（ステップＳ２０４）。そして、当該機種で適用可能なデータ転送方法の一覧が表示され（ステップＳ２０５）、処理はステップＳ２０６に移行する。一方、バーコードを読み取って得られたデータに機種番号が含まれていない場合には（ステップＳ２０２；ＮＯ）、処理は図５のステップＳ３に戻る。
【００５１】
ステップＳ２０６において、データ転送方法の一覧の中からメモリカードが選択されると（ステップＳ２０６；ＹＥＳ）、機種別機能テーブル１７１に基づいて、当該機種で使用可能なメモリカードの種類が判別され（ステップＳ２０７）、判別された種類のメモリカードによるデータ転送の操作手順を示す操作手順画面が表示装置１２の表示画面１２１上に表示され（ステップＳ２０８）、操作手順画面に応じた操作がなされることにより所定のメモリカード挿入口からメモリカードが認識されると（ステップＳ２０９；ＹＥＳ）、処理は図５のステップＳ５に移行する。
【００５２】
図１０に、ステップＳ２０８において表示装置１２の表示画面１２１上に表示される操作手順画面の一例を示す。図１０に示すように、操作手順画面には、少なくとも電子機器２の機種で使用可能なメモリカードの外形、プリントベンダー１の当該メモリカードに対応する挿入口の位置及びメモリカードの挿入方向が表示され、ユーザが挿入するメモリカードの種類、挿入方向（メモリカードの表裏、接点の方向）、挿入口の位置を理解してメモリカードの挿入が行えるような情報を提供する。
【００５３】
データ転送方法の一覧の中から、メモリカードが選択されず（ステップＳ２０６；ＮＯ）、ＩｒＤＡ通信（赤外線通信）が選択された場合（ステップＳ２１０；ＹＥＳ）、ＩｒＤＡ通信によるデータ転送を行う際の、当該電子機器２の機種に応じた操作手順を示す操作手順画面が表示装置１２の表示画面１２１上に表示される（ステップＳ２１１）。赤外線通信によるデータ転送の操作手順を示す操作手順画面には、例えば、プリントベンダー１のＩｒＤＡ部の位置、赤外線通信によりプリントベンダー１に接続するための電子機器２の機種に応じた操作手順、赤外線通信による送受信状態（入力待ち、受信中、転送完了、エラー等）等が表示される。操作手順画面に応じた操作がなされることにより電子機器２がＩｒＤＡによりプリントベンダー１に接続されると（ステップＳ２１２；ＹＥＳ）、処理は図５のステップＳ５に移行する。
【００５４】
データ転送方法の一覧の中から、ＩｒＤＡ通信（赤外線通信）が選択されず（ステップＳ２１０；ＮＯ）、無線ＬＡＮ通信が選択された場合（ステップＳ２１３；ＹＥＳ）、無線ＬＡＮ通信によるデータ転送を行う際の、当該電子機器２の機種に応じた操作手順を示す操作手順画面が表示装置１２の表示画面１２１上に表示される（ステップＳ２１４）。無線ＬＡＮ通信によるデータ転送の操作手順を示す操作手順画面には、例えば、無線ＬＡＮ通信を行うための電子機器２の機種に応じた操作手順、認証入力案内、認証結果（認証完了、認証エラー表示）、無線ＬＡＮ通信による送受信状態（入力待ち、受信中、転送完了、エラー等）等が表示される。操作手順画面に応じた操作がなされることにより電子機器２が無線ＬＡＮによりプリントベンダー１に接続されると（ステップＳ２１５；ＹＥＳ）、処理は図５のステップＳ５に移行する。
【００５５】
データ転送方法の一覧の中から、無線ＬＡＮ通信が選択されず（ステップＳ２１３；ＮＯ）、Bluetooth通信が選択された場合（ステップＳ２１６；ＹＥＳ）、Bluetooth通信によるデータ転送を行う際の、当該電子機器２の機種に応じた操作手順を示す操作手順画面が表示装置１２の表示画面１２１上に表示される（ステップＳ２１７）。Bluetooth通信によるデータ転送の操作手順を示す操作手順画面には、例えば、Bluetooth通信を行うための電子機器２の機種に応じた操作手順、認証が必要な場合には認証入力案内、認証結果（認証完了、認証エラー表示）、Bluetooth通信による送受信状態（入力待ち、受信中、転送完了、エラー等）等が表示される。操作手順画面に応じた操作がなされることにより電子機器２がBluetooth通信によりプリントベンダー１に接続されると（ステップＳ２１８；ＹＥＳ）、処理は図５のステップＳ５に移行する。
【００５６】
データ転送方法の一覧の中から、Bluetooth通信が選択されず（ステップＳ２１６；ＮＯ）、インターネット通信が選択された場合（ステップＳ２１９；ＹＥＳ）、インターネット通信によるデータ転送を行う際の、当該電子機器２の機種に応じた操作手順を示す操作手順画面が表示装置１２の表示画面１２１上に表示される（ステップＳ２２０）。インターネット通信によるデータ転送の操作手順を示す操作手順画面には、例えば、メールを利用する場合は送信先のメールアドレス、Ｗｅｂ、ＦＴＰを利用する場合はアクセス先ＵＲＬ、認証が必要な場合には認証入力案内、認証結果（認証完了、認証エラー表示）、インターネット通信による送受信状態（入力待ち、受信中、転送完了、エラー等）等が表示される。操作手順画面に応じた操作がなされることにより電子機器２がインターネット通信によりプリントベンダー１に接続されると（ステップＳ２２１；ＹＥＳ）、処理は図５のステップＳ５に移行する。
【００５７】
データ転送方法の一覧の中から、インターネット通信が選択されず（ステップＳ２１９；ＮＯ）、バーコード通信が選択された場合（ステップＳ２２２；ＹＥＳ）、バーコード通信によるデータ転送を行う際の、当該電子機器２の機種に応じた操作手順を示す操作手順画面が表示装置１２の表示画面１２１上に表示される（ステップＳ２２３）。バーコード通信によるデータ転送の操作手順を示す操作手順画面には、例えば、印刷する画像を選択し、バーコード生成表示プログラムを起動して、選択された画像ファイルからバーコードを生成し表示する場合の電子機器２の機種に応じた操作手順、プリントベンダー１のバーコード読み取り位置、送受信状態（入力待ち、読み取り中、転送完了、エラー等）等が表示される。操作手順画面に応じた操作がなされることによりバーコード読取部１Ａによりバーコードが認識されると（ステップＳ２２４；ＹＥＳ）、認識されたバーコードがデコード処理され（ステップＳ２２５）、ファイルが生成される（ステップＳ２２６）。入力装置１１から画像転送終了が指示されるまで、ステップＳ２２４〜Ｓ２２６の処理が繰り返し実行され、画像転送終了が指示されると（ステップＳ２２７；ＹＥＳ）、処理は図５のステップＳ６へ移行する。
【００５８】
データ転送方法の一覧の中から、バーコード通信が選択されず（ステップＳ２２２；ＮＯ）、通信ケーブルによるデータ転送が選択された場合（ステップＳ２２８；ＹＥＳ）、通信ケーブルを介してデータ転送を行う際の、当該電子機器２の機種に応じた操作手順を示す操作手順画面が表示装置１２の表示画面１２１上に表示される（ステップＳ２２９）。通信ケーブルによるデータ転送の操作手順を示す操作手順画面には、例えば、電子機器２の機種に応じた通信ケーブルの接続方法等が表示される。操作手順画面に応じた操作がなされることにより電子機器２が通信ケーブルによりプリントベンダー１に接続されると（ステップＳ２３０；ＹＥＳ）、処理は図５のステップＳ５に移行する。ステップＳ２２８において通信ケーブルによるデータ転送が選択されない場合は（ステップＳ２２８；ＮＯ）、処理は図７のステップＳ２０６に戻る。
【００５９】
図５のステップＳ５においては、画像ファイル転送処理が実行される。
図１１に、ＣＰＵ１０により実行される画像ファイル転送処理を示す。
まず、所定のメモリカード挿入口に挿入されたメモリカード又は電子機器２からファイル名リストが取得される（ステップＳ３０１）。データ転送方法がメモリカードの場合には、記録媒体接続部１８を介して、所定の挿入口に挿入されたメモリカードに記録された画像データのファイル名リストが取得される。データ転送方法がメモリカード及びバーコード通信以外の場合には、電子機器２に対して、電子機器２の記録装置２６又は外部記録媒体２８に記憶された画像データのファイル名リストの転送要求が送信され、電子機器２からのファイル名リストが受信されることによりファイル名リストが取得される。ここで、ファイル名リストとして各画像ファイルの付帯情報に含まれるサムネイル画像データを取得してもよく、本実施の形態においては、このサムネイル画像データを取得するものとする。また、メモリカードに記録された又は電子機器２に記憶されている画像データのファイルをすべて取得してファイル名リストとしてのサムネイル画像を作成してもよい。
【００６０】
ファイル名リストが取得されると、表示装置１２にファイル名リストが表示された画像選択画面が表示される（ステップＳ３０２）。図１２に、ステップＳ３０２において表示装置１２に表示される画像選択画面の一例を示す。画像選択画面に従って印刷対象となる画像ファイルが選択操作されると（ステップＳ３０３；ＹＥＳ）、選択された画像ファイルが取得され（ステップＳ３０４）、処理は図５のステップＳ６に移行する。データ転送方法がメモリカードの場合には、記録媒体接続部１８を介して、所定の挿入口に挿入されたメモリカードから選択された画像ファイルが読み込まれることにより画像ファイルが取得される。データ転送方法がメモリカード及びバーコード通信以外の場合には、電子機器２に対して、選択された画像ファイルのデータの転送要求が１ファイルずつ送信され、電子機器２から送信された画像ファイルのデータが受信されることにより画像ファイルが取得される。
【００６１】
画像ファイルが転送されると、図５のステップＳ６において、プリントスタイル選択処理が実行される。具体的には、表示装置１２の表示画面１２１上にプリントスタイル選択画面が表示され、プリントスタイル選択画面に従った入力操作によりプリントスタイル、プリント枚数等が設定され、プリント指定情報が生成される。図１３にプリントスタイル選択画面の一例を示す。
【００６２】
次いで、課金／プリント処理が実行される（ステップＳ７）。
図１４に、ＣＰＵ１０により実行される課金／プリント処理を示す。
まず、表示装置１２の表示画面１２１上に、プリント内容に応じた料金投入指示画面が表示され（ステップＳ４０１）、所定の投入金額が投入されたことが金銭授受装置１５により確認されることが待機される（ステップＳ４０２）。図１５に、料金投入指示画面の一例を示す。図１５に示すように、料金投入指示画面には、投入すべき料金の合計とその内訳、及び金額の投入口の説明が表示されている。
【００６３】
ステップＳ４０２において所定の投入金額が投入されたことが確認されると（ステップＳ４０２；ＹＥＳ）、表示装置１２の表示画面１２１上にプリント状況を表示するプリント処理画面が表示される（ステップＳ４０３）。図１６に、プリント処理画面の一例を示す。そして、印刷装置１６に印刷命令が出力され、印刷装置１６において、選択された画像データ及びプリント指定情報に基づく画像形成が行われ、画像が印刷出力される（ステップＳ４０４）。印刷装置１６のプリントの終了が確認されると（ステップＳ４０５；ＹＥＳ）、印刷装置１６にレシートの印刷命令が出力され、印刷装置１６においてレシートが発行され（ステップ４０６）、処理は図５のステップＳ８に移行する。
【００６４】
図５のステップＳ８において、表示装置１２の表示画面１２１上にプリント終了画面が表示される（ステップＳ８）。図１７に、プリント終了画面の一例を示す。図１７に示すように、プリント終了画面には、プリントの受取口（写真受取口）１６１、レシート出力口１６２が表示され、ユーザが写真の受取やレシートの受取を忘れることのないように促す。
【００６５】
プリント終了画面の表示後、表示装置１２にメモリカードの抜き取りが指示表示され（ステップＳ９）、処理はステップＳ２に戻る。入力装置１１の電源がＯＦＦに操作されるまで、ステップＳ２〜Ｓ９が繰り返し実行される。
【００６６】
以上説明したように、プリントベンダー１によれば、バーコード読取部１Ａから電子機器２の表示装置２４に表示されたバーコードが読み取られることにより電子機器２の機種番号が取得されると、機種別使用テーブル１７１が参照され、取得された機種番号の機種に応じたデータ転送方法が判別され、表示装置１２の表示画面１２１上に、データ転送を行う際の、電子機器２の機種に応じた操作手順画面が表示される。操作手順画面に従って操作がなされると、電子機器２から画像データのファイルが取得され、表示装置１２の表示画面１２１上から印刷対象の画像ファイル及びプリントスタイルが選択されると、印刷装置１６に印刷命令が出力され、印刷装置１６において画像が印刷され出力される。
【００６７】
従って、電子機器２の機種の仕様に応じた操作手順をプリントベンダー１で表示するので、プリントベンダー１を利用する際の誤操作を防止することが可能となる。
【００６８】
次に、上記実施形態の変形例１〜６について説明する。なお、プリントベンダー１及び電子機器２の各機能的構成は、上記実施形態で説明したものと同様である。以下の変形例１〜６で示す各装置、機器の動作は、各装置、機器のＣＰＵと記録装置に記憶されているプログラムとの協働によるソフトウエア処理により実現される。
【００６９】
（変形例１）
電子機器２において、入力装置２１から印刷対象の画像データのファイル名、印刷枚数が入力されると、機種番号のバーコードを生成する際に、併せて入力されたファイル名、印刷枚数、ファイル保存先（記録装置２６／外部記録媒体２８、ディレクトリ情報等）、画像ファイル形式等のデータを示すバーコードを生成し、表示装置２４にバーコードを表示する。
【００７０】
プリントベンダー１においては、バーコード読取部１Ａにより上述の機種番号及びファイル名、印刷枚数、ファイル保存先（記録装置２６／外部記録媒体２８、ディレクトリ情報等）、画像ファイル形式等を示すバーコードを読み取り、デコード処理する。そして、メモリカードによるデータ転送の場合は、カード挿入の操作手順画面を表示後、記録媒体接続部１８を介してバーコードにより指定されたファイル保存先から指定された画像ファイルを読み込み、読み込んだ画像ファイルのデータに基づく印刷命令を印刷装置１６に出力し、印刷装置１６で指定された画像ファイルの画像を印刷出力する。メモリカード以外のデータ転送方法の場合は、電子機器２に対して、バーコードにより指定されたファイル名の画像ファイルの転送要求を行い、指定された画像ファイルを電子機器２から取得して、取得した画像ファイルのデータに基づく印刷命令を印刷装置１６に出力し、印刷装置１６で画像を印刷出力する。これにより、図１１のステップＳ３０１〜３０３の処理を省略することが可能となり、操作手順が簡略化される。
【００７１】
（変形例２）
図１８に、変形例２のシステム構成を示す。
図１８に示すように、プリントベンダー１及び電子機器２を通信ネットワークを介して認証サーバ３に接続可能な構成とし、電子機器２から予め認証サーバ３にユーザＩＤ、パスワード及び機種番号を送信し、認証サーバ３においてユーザＩＤ、パスワード及び機種番号を対応付けて記憶しておく。そして、画像をプリントする際に、プリントベンダー１の入力装置１１からユーザＩＤ及びパスワードが入力されると、プリントベンダー１は、認証サーバ３に接続してユーザＩＤ及びパスワードを送信し、認証サーバ３は、ユーザ及びパスワードの認証を行って、ユーザＩＤに対応する機種番号をプリントベンダー１に返信する。プリントベンダー１は、認証サーバ３からの機種番号から機種を判別し、機種別の操作手順画面を表示する。
【００７２】
これにより、機種の仕様に応じた操作手順をプリントベンダー１で表示するので、プリントベンダー１を利用する際の誤操作を防止することが可能となる。
【００７３】
（変形例３）
変形例３において、プリントベンダー１と電子機器２は、インターネット等の通信ネットワークを介して接続されている。
電子機器２において、機種番号のバーコードを生成する際に、併せて電子機器２の電子メールアドレスを示すバーコードを生成し、表示装置２４にバーコードを表示する。
【００７４】
プリントベンダー１においては、バーコード読取部１Ａにより上述の機種番号及び電子メールアドレスを示すバーコードを読み取り、デコード処理する。そして、上記実施形態で説明したのと同様の動作により、読み取られた機種番号に応じて、電子機器２の機種に対応する操作手順画面を表示画面１２１に表示し、電子機器２から画像データのファイルを取得し、取得した画像ファイルのデータに基づく印刷命令を印刷装置１６に出力し、印刷装置１６で画像を印刷出力する。
【００７５】
また、プリントベンダー１は、プリントスタイルや印刷枚数に応じて印刷する画像のプリント料金を算出し、コイン投入口１５３又は紙幣投入口１５２から投入され金銭授受装置１５において授受された投入金額及び算出されたプリント料金に基づき返金額を算出し、金銭授受装置１５によりおつりを返却するとともに、プリント料金及び投入金額に基づいて支払い情報のデータを作成してレシート番号を付して記録装置１７に記憶し、伝送制御部１４を介して電子機器２にレシート番号及び支払い情報のデータを電子メールにて送信する。電子機器２からレシート番号が送信されると、プリントベンダー１は、レシート番号に応じたプリントの明細情報や領収書のデータを読み出して印刷装置１６から印刷出力する。
【００７６】
これにより、プリントベンダー１側で必要時以外はレシートを発行する必要がなくなり、資源を節約することが可能となる。
【００７７】
（変形例４）
図１９に、変形例４におけるシステム構成を示す。
図１９に示すように、プリントベンダー１は通信ネットワークを介して課金決済サーバ４に接続可能な構成とする。
【００７８】
電子機器２において、機種番号のバーコードを生成する際に、機種番号とともにユーザの個人情報を示すバーコードを生成し、表示装置２４にバーコードを表示する。
【００７９】
プリントベンダー１においては、バーコード読取部１Ａにより上述の機種番号及びユーザの個人情報を示すバーコードを読み取り、デコード処理し、取得された個人情報を、伝送制御部１４においてＳＳＬ（Secure Socket Layer）等の暗号化通信により通信ネットワークを介して課金決済サーバ４に送信する。課金決済サーバ４においては、個人情報を受信し、決済に必要となる認証処理を行い、認証結果をプリントベンダー１に送信する。プリントベンダー１においては、プリントスタイルや印刷枚数に応じて印刷する画像のプリント料金を算出し、ユーザの個人情報が課金決済サーバ４により認証されると、算出されたプリント料金の決済情報を課金決済サーバ４に送信することにより決済処理を行う。
【００８０】
これにより、プリントベンダー１に金銭授受装置１５のコインメック、ビルバリ等を備える必要がなくなり、プリントベンダー１の装置コストを削減することが可能となるとともに、ユーザがコイン投入等を行う操作の手間を省くことが可能となる。
【００８１】
（変形例５）
図２０に、変形例５におけるシステム構成を示す。
図２０に示すように、プリントベンダー１及び電子機器２を通信ネットワークを介してアプリケーション生成サーバ６に接続可能な構成とする。
【００８２】
電子機器２において、機種番号のバーコードを生成する際に、機種番号とともに、入力装置１１から入力されたファイル名、印刷枚数、ファイル保存先（記録装置２６／外部記録媒体２８、ディレクトリ情報等）、画像ファイル形式等のデータを示すバーコードを生成し、表示装置２４にバーコードを表示する。
【００８３】
プリントベンダー１においては、バーコード読取部１Ａにより上述の機種情報及びファイル名、印刷枚数、ファイル保存先（記録装置２６／外部記録媒体２８、ディレクトリ情報等）、画像ファイル形式等を示すバーコードを読み取り、デコード処理したデータを伝送制御部１４によりアプリケーション生成サーバ６に送信する。アプリケーション生成サーバ６は、送信された保存先から印刷対象となるファイル名のファイルを読み出して赤外線通信や通信ネットワークを介してプリントベンダー１に自動送信するための、電子機器２において起動可能なＪａｖａアプリケーションプログラム又はＢＲＥＷ（Binary Runtime Environment for Wireless）アプリケーションプログラムを生成し、通信ネットワークを介して電子機器２に送信する。電子機器２はアプリケーション生成サーバ６から送信されたアプリケーションプログラムを起動してプリントベンダー１とファイルの送受信を行う。
【００８４】
これにより、ユーザはプリントベンダー１や電子機器２をほとんど操作することなくデータ転送やプリントを行うことが可能となり、簡単な操作でプリントを行うことが可能となる。
【００８５】
なお、上記実施の形態における記述内容は、本実施の形態における好適な一例であり、これに限定されるものではない。
【００８６】
例えば、上記実施の形態においては、電子機器２において、その機種を識別するための識別情報としての機種番号を示すバーコードを生成して表示装置２４に表示し、これをプリントベンダー１のバーコード読取部１Ａにおいて読み取ることとしたが、これに限定されず、例えば、電子機器２の表示装置２４に機種を識別するための識別情報を文字表示したものをＯＣＲ（Optical Character Reader）により光学的に読み取ることとしてもよい。
【００８７】
また、操作手順画面は、１画面に手順をすべて表示するようにしてもよいし、１つの操作が終了する毎に、次の操作手順を順次表示切替して表示するようにしてもよい。
【００８８】
また、プリントベンダー１が画像を管理するサーバや他のプリントベンダーと通信ネットワークを介して接続され、プリントベンダー１からサーバや実際に画像を印刷する他のプリントベンダーに画像をアップロードしておくことが可能な場合には、操作手順画面に従って操作がなされた場合に、転送された画像ファイルを画像サーバや実際に画像を印刷する他のプリントベンダーに送信するようにしてもよい。
【００８９】
その他、プリントベンダー１の細部構成及び細部動作に関しても、本発明の趣旨を逸脱することのない範囲で適宜変更可能である。
【図面の簡単な説明】
【００９０】
【図１】本発明に係るプリントベンダー１の外観を示す図である。
【図２】図１のプリントベンダー１の機能的構成を示すブロック図である。
【図３】図２の機種別仕様テーブル１７１のデータ格納例を示す図である。
【図４】図１の電子機器２の機能的構成を示すブロック図である。
【図５】図２のＣＰＵ１０により実行されるプリント販売処理を示すフローチャートである。
【図６】図２のＣＰＵ１０により実行されるスタートメニュー処理を示すフローチャートである。
【図７】図２のＣＰＵ１０により実行される機種別操作手順表示処理を示すフローチャートである。
【図８】図２のＣＰＵ１０により実行される機種別操作手順表示処理を示すフローチャートである。
【図９】図２のＣＰＵ１０により実行される機種別操作手順表示処理を示すフローチャートである。
【図１０】図２の表示装置１２の表示画面１２１上に表示される操作手順画面の一例を示す図である。
【図１１】図２のＣＰＵ１０により実行される画像ファイル転送処理を示すフローチャートである。
【図１２】図２の表示装置１２の表示画面１２１上に表示される画像選択画面の一例を示す図である。
【図１３】図２の表示装置１２の表示画面１２１上に表示されるプリントスタイル選択画面の一例を示す図である。
【図１４】図２のＣＰＵ１０により実行される課金／プリント処理を示すフローチャートである。
【図１５】図２の表示装置１２の表示画面１２１上に表示される料金投入指示画面の一例を示す図である。
【図１６】図２の表示装置１２の表示画面１２１上に表示されるプリント処理画面の一例を示す図である。
【図１７】図２の表示装置１２の表示画面１２１に表示されるプリント終了画面の一例を示す図である。
【図１８】本発明の実施の形態における変形例２のシステム構成を示す図ある。
【図１９】本発明の実施の形態における変形例４のシステム構成を示す図ある。
【図２０】本発明の実施の形態における変形例５のシステム構成を示す図ある。
【符号の説明】
【００９１】
１  プリントベンダー
２  電子機器
１０、２０  ＣＰＵ
１１、２１  入力装置
１２、２４  表示装置
１３、２２  ＲＡＭ
１４、２３  伝送制御部
１５  金銭授受装置
１６  印刷装置
１７、２６  記録装置
１８  記録媒体接続部
１９、２９  バス
１Ａ  バーコード読取部
１２１  表示画面
１４１  ケーブル挿入口
１５１  紙幣投入口
１５２  返却レバー
１５３  コイン投入口
１５４  おつり返却口
１６１  写真受取口
１６２  レシート出力口
１８１  記録媒体挿入口
２５  通話装置
２７  撮影装置
２８  外部記録媒体
【図１】
2005332044.tif 000003
【図２】
2005332044.tif 000004
【図３】
2005332044.tif 000005
【図４】
2005332044.tif 000006
【図５】
2005332044.tif 000007
【図６】
2005332044.tif 000008
【図７】
2005332044.tif 000009
【図８】
2005332044.tif 000010
【図９】
2005332044.tif 000011
【図１０】
2005332044.tif 000012
【図１１】
2005332044.tif 000013
【図１２】
2005332044.tif 000014
【図１３】
2005332044.tif 000015
【図１４】
2005332044.tif 000016
【図１５】
2005332044.tif 000017
【図１６】
2005332044.tif 000018
【図１７】
2005332044.tif 000019
【図１８】
2005332044.tif 000020
【図１９】
2005332044.tif 000021
【図２０】
2005332044.tif 000022